(57)【要約】【課題】段ボール箱を製造する製函機械のシートの縁部を切断除去するスリッタ装置において、切断により生じるスリット屑を確実にシートの走行路から分離し、更に一定の箇所に排出することが可能なスリッタ装置を提供すること。【解決手段】  段ボールシートの縁部を切断する上下一対のリング状のスリッタナイフ３３に隣接し、シートの走行面BLを上下にまたいでスリット屑ガイド６１を設ける。また、シートの走行面BLの上方から前記スリッタナイフ３３により切断され生じたスリット屑３５を前記スリット屑ガイド６１内へ導く方向へ空気を吹き付ける空気噴出手段６９を設ける。順次走行してくる段ボールシート５の縁部をスリッタナイフ３３で切断し、それにより生じるスリット屑３５はその先端を空気噴出手段６９から噴出された空気により下方に押さえ込まれながら走行するので、確実にスリット屑ガイド６１に捕らえられ、下方の一定の個所へ導かれることとなる。【選択図】        図１
2005262335.tif 000002
【特許請求の範囲】
【請求項１】
段ボールシートの両面に設けられた一対のスリッタナイフにより段ボールシートの縁部を切断するスリッタ装置において、前記スリッタナイフで切断され生じるスリット屑の下流側にまたは前記スリット屑を覆うように配置され前記スリット屑を前記段ボールシートから離脱する方向へ導くスリット屑ガイドと、前記スリット屑を前記スリット屑ガイドへと導く方向へ前記スリット屑に向けて空気を吹き付ける空気噴出手段と、を有することを特徴とするスリッタ装置。
【請求項２】
前記スリット屑ガイドは前面ガイド部材を有し、前記前面ガイド部材は前記スリット屑の幅より少なくとも広い幅を有し前記スリット屑を段ボールシートの走行面の下方へ導くため側面視で前記走行面と交差するように配置されたこと、を特徴とする請求項１記載のスリッタ装置。
【請求項３】
前記スリット屑ガイドは前面ガイド部材と側面ガイド部材を有し、前記前面ガイド部材は前記スリット屑の幅より少なくとも広い幅を有し前記スリット屑を段ボールシートの走行面の下方へ導くため側面視で前記走行面と交差するように配置され、前記側面ガイド部材は前記前面ガイド部材の側縁に配置されたこと、を特徴とする請求項１記載のスリッタ装置。
【請求項４】
前記前面ガイド部材は、平面、複数の平面の連続または曲面で構成されること、を特徴とする請求項２または３記載のスリッタ装置。
【請求項５】
前記スリット屑ガイドは上面ガイド部材を有し、前記上面ガイド部材は前記スリット屑の幅より少なくとも広い幅を有し、前記走行面に対向して前記前面ガイド部材の上流側に配置されたこと、を特徴とする請求項２ないし４のいずれか１項に記載のスリッタ装置。
【請求項６】
前記スリット屑ガイドの、前記前面ガイド部材は前面ガイド板で、前記側面ガイド部材は側面ガイド板で、前記上面ガイド部材は上面ガイド板で構成され、前記前面ガイド板と前記側面ガイド板と前記上面ガイド板とは互いに接して配置されていること、を特徴とする、請求項５記載のスリッタ装置。
【請求項７】
前記空気噴出手段の噴出口は、前記スリッタナイフをはさみ前記スリット屑の生ずる側とは反対側の前記スリッタナイフの噛合点の上方に配置され、前記スリッタナイフで切断され生じたスリット屑に向けられていること、を特徴とする請求項１ないし６のいずれか１項に記載のスリッタ装置。
【請求項８】
前記スリット屑ガイドに吸引ダクトを介して集塵機を連結したことを特徴とする請求項１ないし７のいずれか１項に記載のスリッタ装置。
【請求項９】
請求項１ないし８のいずれか１項に記載のスリッタ装置を有することを特徴とする製函機械。
【請求項１０】
記段ボールシートの縁部を切断する第１の工程と、切断により生じた前記スリット屑に向かって空気を吹き付け前記スリット屑を前記スリット屑ガイドへ導く第２の工程と、前記スリット屑ガイドにより前記スリット屑を段ボールシートから離脱する方向へ導く第３の工程とからなること、を特徴とするスリッタ装置による段ボールシート切断方法。
【発明の詳細な説明】
【技術分野】
【０００１】
本発明は段ボール箱を製造する製函機械に関し、特に段ボールシートの縁部を切断除去するスリッタ装置及びスリッタ装置による段ボールシート切断方法に関するものである。
【背景技術】
【０００２】
図４は一般的な段ボール箱を製造する製函機械（フレキソフォルダグルアと呼ばれる）の概略機械配置を示す図である。給紙部１のテーブル３に積まれた段ボールシート５はキッカ等の給紙装置７により最下位から一枚ごと分離して次工程に送出される。給紙部１から送出された段ボールシート５は通常、印刷部９、スロッタクリーザ部１１、ダイカット部１３を経てフォルディング部１５で折り畳まれて段ボール箱１７となる。フォルディング部１５以降は図示を省略する。
【０００３】
図５は図４に対応して各ユニットでの段ボールシート５の加工の様子を示している。
（ａ）給紙部1に積まれた加工前の段ボールシート５を示す。段ボールシート５に図示した進行方向と直角な方向の一点鎖線ＳＣは製函機械の前工程であるコルゲートマシンで加工された罫線である。
（ｂ）印刷部９で例として丸と三角を印刷（Ｐ）した段ボールシート５を示す。
（ｃ）スロッタクリーザ部１１での加工を示す。なお、ここではシート形状を他より拡大して図示している。
【０００４】
図４の構成と対応させて説明すると、スロッタクリーザ部１１には上下一対の罫線軸２１があり、これに罫線ヘッド２３が取付けられている。この上下罫線ヘッド２３のニップ部に段ボールシート５を通すことにより段ボールシート５への罫入加工が行われる。ここで加工された罫線を破線ＣＬで示している。
罫線軸２１の下流側には送りロール軸２５が設けられ、これに送りカラーロール２７が取付けられている。送りカラーロールは単に段ボールシートを受け渡すための中間ロールとして使われる場合もあるし、前述の罫入加工の補助として第２罫線加工用に使われることもある。
【０００５】
次に上下一対のスロッタ軸２９が設けられている。このスロッタ軸２９には溝ＳＬを加工するスロッタヘッド、糊付代ＧＦを加工する縫い代ヘッド、糊付代ＧＦと反対側の縁部を裁断するスリッタヘッドが取付けられている。図４ではスリッタヘッド３１のみ図示している。図６は図４の断面Ａ−Ａ矢視図でスリッタヘッド３１の部分のみを図示している。
【０００６】
上下一対のスロッタ軸２９にはスリッタヘッド３１が取付けられており、スリッタヘッド３１にリング状のスリッタナイフ３３が固定されている。一対のスリッタナイフ３３は互いに接触して回転しシアにより段ボールシート５の縁部を切断する。図４ではこの切断線をＳＴ、また、切断により生じたスリット屑を３５として示している。
尚、一対のスリッタナイフ３３はシート進行方向に対して、予備切断用、仕上切断用として複数組配置することもある。これにより、幅の異なる段ボールシートの切替えジョブを効率よく行うことが可能となり、生産性向上が図れる。
図５においてハッチングを入れた部分はスロッタクリーザ部１１で切断除去される部分を示している。
（ｄ）ダイカット部１３での加工で、図５では丸い空気穴Ｈをあけたことを示している。
（ｅ）フォルディング部１５での折り畳みの途中を示す。
（ｆ）フォルディング部１５で完全に折畳まれて段ボール箱１７となった様子を示す。
【０００７】
このように段ボールシート５はいくつかの工程を経て加工される。この中でスロッタクリーザ部１１では上述の通り、いくつかの切断加工が行われる。スロッタクリーザ部１１で切り取られた屑は、機械の作業の邪魔にならないように機外に排出されなければならない。
【０００８】
ところが、スリッタナイフ３３で切断され生じるスリット屑３５は図示のごとく段ボールシート５の進行方向長さと同じ長さを有するので相当長いものとなる。一方溝ＳＬや糊付代ＧＦの加工でも屑はでるものの、スリット屑３５に較べれば短く段ボールシートの走行面に配列された送りロール１９の間から容易に落ちる。ところがスリット屑３５は長い為、送りロール１９の間にまたがり落ちること無く走行面に留まり後続のシートの通過を邪魔したり、後続のシートに跳ね上げられ後工程まで運ばれてしまい製品に紛れ込み、製品表面に部分的な潰れを生じさせたり、スリット屑が糊付け部分に紛れ込むと糊付け品質が低下する等、段ボール箱の品質低下を生じる恐れがあった。
【０００９】
上記問題に対処する一手段として、スリット屑３５を下方に誘導するための平面のガイド板を上下一対のスリッタナイフ３３の噛合位置の下流に設けることで、該スリット屑を下方に誘導できるスリッタ装置が開示されている。
【００１０】
【特許文献１】特開２００１−３０１９２号公報
【発明の開示】
【発明が解決しようとする課題】
【００１１】
しかしながら、上記平面のガイド板では、スリット屑３５の幅や大きさや形状によってはスリット屑３５を確実に捕らえることができず、捕らえられなかったスリット屑３５はこれまでと同様に、送りロール１９の間にまたがり落ちること無く走行面に留まり後続のシートの通過を邪魔したり、邪魔したり、後続のシートに跳ね上げられ後工程まで運ばれてしまい製品に紛れ込み、製品表面に部分的な潰れを生じさせたり、スリット屑が糊付け部分に紛れ込むと糊付け品質が低下する等、段ボール箱の品質低下を生じる恐れがあった。特に、極端に幅が細くカール状になったり、更に細かく紙粉状となったスリット屑３５の誘導は上記平面のガイド板では困難であった。
また、たとえスリット屑３５を上記平面ガイドで下方に誘導できたとしても、スリット屑３５は機械の幅方向に拡散してしまい、容易に回収できないという問題があった。
【００１２】
本発明はこのような課題に鑑み創案されたもので、一対のスリッタナイフ３３により切断されその結果生じるいかなるスリット屑３５をも確実にかつ容易に処理できる処理装置を備えたスリッタ装置、スリッタ装置による段ボールシート切断方法およびスリッタ装置を有する製函機械前記スリッタ装置の使用方法および前記スリッタ装置を有する製函機械を提供することを目的とする。
【課題を解決するための手段】
【００１３】
上記目的を達成するため、本発明では、段ボールシートの走行面の両面に設けられた一対のリング状のスリッタナイフにより段ボールシートの縁部を切断除去するスリッタ装置において、前記スリッタナイフで切断され生じるスリット屑の下流側にまたは覆うように配置され前記スリット屑を前記段ボールシートのから離脱する方向へ導くスリット屑ガイドと、前記スリット屑を前記スリット屑ガイドへと導く方向へ前記スリット屑に空気を吹き付ける空気噴出手段を備える。
【００１４】
また、本発明では、前記スリット屑ガイドは前面ガイド部材を有し、前記前面ガイド部材は前記スリッタナイフで切断され生じるスリット屑の幅より少なくとも広い幅を有し、前記スリット屑を段ボールシートの走行面の下方へ導く為に、その一端を前記走行面の上方へ突出し側面視で前記走行面と交差するように配置される。
【００１５】
また、本発明では、前記スリット屑ガイドは前面ガイド部材と側面ガイド部材を有し、前記前面ガイド部材は前記スリッタナイフで切断され生じるスリット屑の幅より少なくとも広い幅を有し、前記スリット屑を段ボールシートの走行面の下方へ導く為に、その一端を前記走行面の上方へ突出し側面視で前記走行面と交差するように配置され、前記側面ガイド部材は前記前面ガイド部材の側縁に配置される。
【００１６】
更に本発明では、前記前面ガイド部材は、平面、複数の平面の連続または曲面を有する。
【００１７】
また、本発明では、前記スリット屑ガイドは上面ガイド部材を有し、前記上面ガイド部材は前記スリッタナイフで切断され生じるスリット屑の幅より少なくとも広い幅を有し、前記前面ガイド部材の上流側に前記走行面に対向して配置されている。
【００１８】
更に本発明では、前記スリット屑ガイドは、前記前面ガイド部材を形成する前面ガイド板と、前記側面ガイド部材を形成する側面ガイド板と、前記上面ガイド部材を形成する上面ガイド板により構成され、前記前面ガイド板と前記側面ガイド板と前記上面ガイド板とは互いに接して配置されている。
【００１９】
また、本発明では、前記空気噴出手段の噴出口は、スリッタナイフを挟み前記スリット屑の生じる側とは反対側の前記スリッタナイフの噛合点の上方に配置され、該スリッタナイフで切断され生じる前記スリット屑に向けられている。
【００２０】
また、本発明では、段ボールシートの走行面の両面に設けられた一対のリング状のスリッタナイフにより段ボールシートの縁部を切断除去するスリッタ装置において、前記スリット屑ガイドの下流側端面に吸引ダクトを介して集塵機を連結する。
【００２１】
また、本発明では、上述したいずれか１つに記載のスリッタ装置を有することを特徴とする製函機械とする。
【００２２】
また、本発明では、段ボールシートの縁部を切断する第１の工程と、切断により生じた前記スリット屑に向かって空気を吹き付け前記スリット屑を前記スリット屑ガイドへ導く第２の工程と、前記スリット屑ガイドにより前記スリット屑を段ボールシートから離脱する方向へ導く第３の工程とからなる、スリッタ装置による段ボールシート切断方法を採用する。
【発明の効果】
【００２３】
上述したような手段を構えることにより、スリッタナイフで切断され生じるスリット屑に向けて空気噴出手段から空気を噴出することで、スリット屑はその先端を押さえ込まれスリット屑ガイドへ導く方向へと規制されながら進行し、スリット屑ガイドへ導入され段ボールシートから離脱する方向へ導かれることとなる。特に極端に幅が細くカール状になったスリット屑は走行面から浮上がり等直進しなかったり、また、更に細かく紙粉状になったスリット屑は拡散することがあるが、これらスリット屑についても空気噴出手段から噴出される空気によりスリット屑ガイド内へ確実に吹き飛ばすことができる。
【００２４】
また、スリット屑ガイドはスリッタナイフで切断され生じるスリット屑幅より少なくとも広い幅の前面ガイド部材を有するため、どのような幅のスリット屑にも対応可能でり、更に、前面ガイド部材は一端を走行面の上方へ突出し側面視で前記走行面と交差するように配置されているので、走行面上を進行してくるスリット屑をその突出部分で捕らえ、転向させ同前面ガイド部材に沿って下方へ導くことができる。
【００２５】
また、スリット屑ガイドは前面ガイド部材と側面ガイド部材とを有するので、前面ガイド部材は上述と同様の効果があり、また側面ガイド部材は前面ガイド部材からのスリット屑の幅方向への脱離による拡散を防止できる。
【００２６】
更に、前面ガイド部材が平面であるのでスリット屑を前面ガイド部材に沿ってスムーズに下方へ導くことが可能である。
また、前面ガイド部材が複数の平面の連続であるので、スリット屑ガイドの入り口部で前面ガイド部材とスリット屑の成す角度を小さくすれば、前面ガイド部材に衝突するスリット屑をスムーズに転向させ下方へ導くことができ、その後、前面ガイド部材を側面視で鉛直方向に対して次第に鋭角になるよう配置することで、スリット屑はたとえ失速したとしても、前面ガイド部材から大きく離隔することなく、スリッタナイフのごく近傍の一定箇所へ導かれることとなる。加えて、スリット屑ガイドを含む屑処理手段の小型化にもつながるため、機械下部に広い空間を確保でき、十分な保守作業環境の実現等、その空間の弾力的な活用が可能となる。
【００２７】
また、前面ガイド部材が曲面であるので、スリット屑は例えば平面と平面との取り合い部に形成されたナックル部分を通過する際に受けるような衝撃を受けることなく、曲面に沿ってよりスムーズに下方へ導かれ、スリッタナイフのごく近傍の一定箇所へ導かれることとなる。
【００２８】
更にスリット屑ガイドは上面ガイド部材を有し、前記上面ガイド部材は前記スリッタナイフの切断により生じるスリット屑の幅より少なくとも広い幅を有し、前記前面ガイド部材の上流側に前記走行面に対向して配置されているので、どのような幅のスリット屑に対しても、スリット屑ガイドの浮上がりによる脱離を防止しながら、確実に後続の前面ガイド部材へ導くことができる。
【００２９】
更に前記スリット屑ガイドは、前記前面ガイド部材を形成する前面ガイド板と、前記側面ガイド部材を形成する側面ガイド板と、前記上面ガイド部材を形成する上面ガイド板により構成されているため、スリット屑はこれら前記ガイド部材を貫通することなく前記ガイド部材に沿って確実に下方に導かれ、また、前記前面ガイド板と前記側面ガイド板および前記上面ガイド板とは互いに接して配置されているため、幅の細いスリット屑や極端に幅が狭くカール状になったスリット屑および更に細かく紙粉状になったスリット屑についても逃すことはない。
【００３０】
更に前記空気噴出手段の噴出口は、スリッタナイフを挟み前記スリット屑の生じる側とは反対側の前記スリッタナイフの噛合点の上方に配置され、該スリッタナイフで切断され生じたスリット屑に向けられているため、空気噴出手段から吹き付けられた空気により該スリット屑をスリット屑ガイドへと方向付けることができ、同時に噴出された空気は、言わばガイド部材を形成し、スリット屑がスリット屑ガイドの開放側(スリッタナイフ側)から脱離し、製品となる段ボールシート側へ紛れ込むことを規制できる。
【００３１】
更に極端に幅が細くカール状なったり更に細かく紙紛状となったスリット屑は一旦スリット屑ガイドに導かれても、失速し前側ガイド部材に沿って落下しないことがあるが、スリット屑ガイドの下端に吸引ダクトを介して集塵機を連結し、強制的に吸引することによりそのようなスリット屑３５についても確実に一定箇所に導くことができ、容易に除去することが可能となる。
【００３２】
また、上述したスリッタ装置を有する製函機械であるのでスリット屑を機械の下方の一定箇所へ導き容易に除去することが可能であり、従って、スリット屑は後続のシートの進行を邪魔したり、製品に紛れ込むことがなくなり、生産性の向上と高品質の段ボール製造を可能とする。
【００３３】
また、段ボールシートの縁部を切断する第１の工程と、切断により生じた前記スリット屑に向かって空気を吹き付け前記スリット屑ガイドへ導く第２の工程と、前記スリット屑ガイドにより前記スリット屑を段ボールシートから離脱する方向へ導く第３の工程とを有することにより、スリット屑は製品となる段ボールシートから確実に分離されるので、容易に除去することが可能であり、従って、スリット屑は後続のシートの進行を邪魔したり、製品に紛れ込むことがなくなり、生産性の向上と高品質の段ボール製造を可能とする。
【発明を実施するための最良の形態】
【００３４】
以下図面を参照しながら本発明の実施形態について説明する。
【実施例１】
【００３５】
図１および図２は本発明の第１の実施形態としてのスリッタ装置の概略構成を説明するためのもので、図１はスリッタ装置のスリッタヘッド近辺の側面図、図２は図１のX−X視図を示す。図１および図２において、スリッタヘッド、スリッタナイフ等スロッタクリーザ部としての基本構成部品は従来例と同じであるので、従来例と同一の符号を用いて示している。
【００３６】
図１には、スロッタクリーザ部１１の両側に立設するフレーム４１にガイド軸４３が渡っている様子が示されている。ガイド軸４３には移動台４５が軸方向に摺動可能にはまっている。フレーム４１間にはねじ軸４７が渡っている。ねじ軸４７は図示しない適宜の駆動装置で回転駆動されるようになっている。ねじ軸４７は前記移動台４５と螺合している。従って、ねじ軸４７を回転すると移動台４５がガイド軸４３上を機械の幅方向に摺動する。
【００３７】
移動台４５にはヨーク４９が取付けられている。ヨーク４９には罫線ヘッド用ヨーク４９ａ、送りカラー用ヨーク４９ｂおよびスリッタヘッド用ヨーク４９ｃがあり、それぞれ罫線ヘッド２３、送りロールカラー２７およびスリッタヘッド３１の溝にはまり、それぞれのヘッドを一斉に機械の幅方向に移動するようになっている。スリッタヘッド３１にはスリッタナイフ３３が取付けられている。
【００３８】
スリッタナイフ３３のスリット屑３５が発生する側に隣接して、スリット屑３５の後方にまたは覆うように、段ボールシート５の走行面ＢＬを上下にまたいで、スリット屑ガイド６１が設けられている。スリット屑ガイド６１には取付部６２があり、この取付部６２が移動台４５に固定されている。従って、スリット屑ガイド６１はスリッタヘッド３１と一体となって機械幅方向に移動する。
【００３９】
スリット屑ガイド６１は上面ガイド部材６３、前側ガイド部材６４および側面ガイド部材６５とをそれぞれ形成する上面ガイド板６６、前側ガイド板６７および側面ガイド板６８とで構成される。
上面ガイド板６６は走行面BLより少なくともδだけ高い位置に走行面BLに対向して配置される。
【００４０】
前側ガイド板６７は上面ガイド板６６の後方にあり、その一端を走行面BL上に突き出し上面ガイド板６６と鈍角θをなすように上面ガイド板６６に溶接などで連接されている。そして前面ガイド板６７は側面視で走行面BLと交差するようにシート進行方向に対して斜め下方へ伸びている。上面ガイド板６６は途中に設けられたナックル線により走行面ＢＬからより離隔する側へと折り曲げられている。図１においては、前面ガイド板６７に設けられたナックル線は１つであるが複数設けてもよい。
【００４１】
上面ガイド板６６と前面ガイド板６７とは上下一対のスリッタナイフ３３により切断され生じるスリット屑３５の幅より少なくとも広い幅を有する。
上面ガイド板６６と前面ガイド板６７のスリッタナイフ３３に面する端辺はスリッタナイフ３３に近接して配置されている。
【００４２】
上面ガイド板６６と前面ガイド板６７のスリッタナイフ３３面する側と反対側の端辺には側面ガイド板６８が取付けられている。側面ガイド板６８は上面ガイド板６６と前面ガイド板６７とに略直交するように配置され、上面ガイド板６６と前側ガイド板６７とに溶接などで固定される。
【００４３】
上記のように構成されるので、スリッタナイフで切断され生じるスリット屑３５は幅の広狭、大きさ、形状によらず、その浮上がりを上面ガイド板６６で規制されながら進行し前面ガイド板６７に捕らえられ、下方へ転向させられ、側面ガイド板６８によりは幅方向への拡散を防止されながら前面ガイド板６７に沿って下方へ導かれ、スリッタナイフのごく近傍の一定箇所に落とされるので、容易に回収できる。
【００４４】
さらに、スリッタナイフ３３を挟んでスリット屑ガイド６１と反対側（段ボールシート５の製品側）には空気噴出手段６９としてエアノズル７０が設けられている。エアノズル７０は移動台４５に取付けられてスリッタヘッド３１と共に軸方向に移動する。エアノズル７０には配管７１を通じて図示しないエア源から空気が供給される。
【００４５】
エアノズル７０の先端は上下スリッタナイフ３３の噛合点のやや上方にあり、斜め下向きに、かつ、スリッタナイフ３３で切断され生じるスリット屑３５の方向に向けてエアを吹き付けるようになっている。
【００４６】
上記のように構成されるのでスリット屑３５は噴出された空気によりその先端を下方に押さえ込まれ走行することとなり、同時にその噴出された空気は、言わばガイド面を形成し、スリット屑３５がスリット屑ガイド６１の開放側(つまりスリッタナイフ３３側)から脱離し、段ボールシート５の製品側へ紛れ込むことを規制するので、スリット屑３５は走行面ＢＬに残留することなく、より確実にスリット屑ガイド６１に導入されることとなる。また、極端に幅が細くカール状となったスリット屑３５や更に細かく紙紛状になったスリット屑３５についても、噴出された空気により屑ガイド６１の中へ確実に吹き飛ばすことが可能である。
【実施例２】
【００４７】
次に、本発明の第２の実施形態について説明する。本実施形態は、上記第１の実施形態と同様にスリッタナイフにより段ボールシートの縁部を切断され生じるスリット屑を、確実に走行面から分離させ下方へに導き、またそれらスリット屑を容易に除去できるよう、スリット屑を下方へ導くスリット屑ガイドと前記スリット屑を前記スリット屑ガイドへと方向付ける空気噴出手段を設ける。
【００４８】
図３に第２の本実施形態のスリット屑ガイド６１を示す。
スリット屑ガイド６１はスリッタナイフ３３のスリット屑３５が発生する側に隣接して、スリット屑３５の下流側にまたは覆うように、段ボールシート５の走行面ＢＬを上下にまたいで設けられる。スリット屑ガイド６１には取付部６２があり、この取付部６２が移動台４５に固定されている。従って、スリット屑ガイド６１はスリッタヘッド３１と一体となって機械幅方向に移動する。
【００４９】
スリット屑ガイド６１は側面視で円弧を成す前面ガイド前面ガイド板６７と側面ガイド板６８とで構成される。上記前面ガイド板６７は上面ガイド部材６３と前面ガイド部材６４の機能を併せ持ち、側面ガイド板６８は側面ガイド部材６５を形成する。
前面ガイド板６７は走行面BLより少なくともδだけ高い位置に突き出し、その上端での接線は走行面BLと略並行を成すように配置される。
【００５０】
そして前面ガイド板６７は側面視で円弧を描きながら走行面BLと交差するようにシート進行方向に対して斜め下方へ伸びている。ここで、前面ガイド板６７は下方に行くに従って走行面ＢＬから次第に離隔する側へと曲げられる。
【００５１】
前面ガイド板６７は上下一対のスリッタナイフ３３により切断され生じるスリット屑３５の幅より少なくとも広い幅を有する。
前面ガイド板６７のスリッタナイフ３３側の端辺はスリッタナイフ３３に近接して配置されている。
【００５２】
前面ガイド板６７のスリッタナイフ３３と近接しない反対側の端辺には側面ガイド板６８が取付けられている。側面ガイド板６８は前面ガイド板６７とに略直交するように配置され、前側ガイド板６７に溶接などで固定される。
【００５３】
上記のように構成されるので、前面ガイド板６７は上面ガイド部材６３と前面ガイド部材６４の両方の効果を併せ持ち、従って、スリッタナイフ３３で切断され生じるスリット屑３５は幅の広狭、大きさ、形状によらず、その浮上がりを前面ガイド板６７で規制されながら進行し、その円弧面により徐々に下方へ転向させられ、側面ガイド板６８により幅方向への脱離による拡散を防止されながら前面ガイド板６７に沿って下方へ導かれる。前記スリット屑３５は例えば前面ガイド板６７にナックル線を有する平板を採用した場合のナックル線通過時に受けるような抵抗を受けることが無いため、スリット屑３５は減速によるスリット屑ガイド６１内での渋滞も生じずスムーズに下方に導かれ、スリッタナイフ３３のごく近傍の一定箇所に落とされるので、スリット屑３５は容易に回収できることとなる。さらに、前面ガイド板６７がスリット屑３５より受ける衝撃力も減じることができ、スリット屑ガイド６１の強度信頼性の向上も図れる。
【００５４】
さらに、スリッタナイフ３３を挟んでスリット屑ガイド６１と反対側（段ボールシート５の製品側）には空気噴出手段６９としてエアノズル７０が設けられている。エアノズル７０は移動台４５に取付けられてスリッタヘッド３１と共に軸方向に移動する。エアノズル７０には配管７１を通じて図示しないエア源から空気が供給される。
【００５５】
エアノズル７０の先端は上下スリッタナイフ３３の噛合点のやや上方にあり、斜め下向きに、かつ、スリッタナイフ３３で切断され生じるスリット屑３５の方向に向けてエアを吹き付けるようになっている。
【００５６】
空気噴出手段６９は上記のように構成されるので、上述の第１の実施例のそれと同様の効果を有する。
【実施例３】
【００５７】
次に、本発明の第３の実施形態について説明する。本実施形態は、上記第１の実施形態および第２の実施形態のスリッタ装置において、走行面BLより分離させたスリット屑３５の集約効率向上及び作業環境向上の対策を提案するものである。
第３の実施形態は、上記第１の実施形態および第２の実施形態に示す構成の一部であるスリット屑ガイド６１の下端に図示しない吸引ダクトを介して図示しない集塵機を連結する。
【００５８】
このような構成とすることで、スリッタナイフ３３により切断され生じるスリット屑３５は、上方からはエアノズル７０から噴出された空気により下方に押さえ込まれ、同時に下方からは空気吸引により引き込まれるので、より確実にスリット屑３５をスリット屑ガイド６１に導入できる。スリット屑ガイド６１に導入されたスリット屑３５は、更に空気吸引されながらスリット屑ガイド６１に沿って下方へ導かれ次工程の吸引ダクト内へ、そして集塵機へと運ばれ、所定の一定箇所へ集約されるので、スリット屑３５を容易にかつ確実に除去できる。
【００５９】
特に、スリット屑ガイド６１の内部へ導かれたスリット屑３５のうち極端に幅が細くカール状なったり更に細かく紙紛状となったスリット屑３５についても、強制的に下方へ空気吸引されるので、失速してスリット屑ガイド６１から外れ飛散することもなく、吸引ダクトおよび集塵機を介して確実に所定の一定箇所へ集約できる。
またこのような構成とすることで、スリット作業に伴い発生する粉塵の飛散を防止できるのでクリーンな作業環境を確保でき、粉塵が製品付着しないため品質管理が容易ととなる、粉塵の機械への付着もなくなり保守作業が改善されそれに関連して機械の故障も少なくなる等種々の効果が得られる。
【００６０】
以上、本発明の実施形態について説明したが、本発明は上記の実施形態に限定されるものではなく、本発明の趣旨を逸脱しない範囲で種々変形して実施することが出来る。
例えば、段ボールシートの縁部を切断する方法として一対のスリッタナイフのシアによる切断の他、回転ノコやエアカッター等を使用することも可能である。
【００６１】
またスリット屑ガイド６１については、例えば、スリット屑ガイド６１を構成する上面ガイド板６６と前面ガイド板６７はそれぞれの効果を合せ持つ一体の部材としてもよい。すなわち、シートの幅方向に１つまたは複数のナックル曲げ加工施した一枚の板としてもよいし、円弧を成す一枚の板としてもよい。
【００６２】
また、スリット屑ガイド６１を構成する上面ガイド部材６３、前面ガイド部材６４、側面ガイド部材６５も板に限定されるものではなく一体として加工されたもの、例えば鋳鍛鋼品等でもよい。  
また、空気噴出手段６９は、スリッタナイフ３３を挟んでスリット屑ガイド６１と同一側に設けてもよし、スリッタナイフ３３を挟み両側に複数個設けてもよい。
【図面の簡単な説明】
【００６３】
【図１】本発明の第１実施形態としてのスリッタ装置を示すもので、スリッタヘッド近辺の側面図である。
【図２】本発明の第１実施形態としてのスリッタ装置の図１のX−X矢視図である。
【図３】本発明の第２実施形態としてのスリッタ装置のスリット屑ガイドを示す側面図である。
【図４】段ボール箱を製造する製函機械の概略機械配置図を示すものである。
【図５】段ボールシートの各ユニットでの加工の様子を説明する説明図である。
【図６】図４のA−A矢視図である。
【符号の説明】
【００６４】
１  給紙部
３  テーブル
５  段ボールシート
７  給紙装置
９  印刷部
１１  スロッタクリーザ部
１３  ダイカット部
１５  フォルディング部
１７  段ボール箱
１９  送りロール
２１  罫線軸
２３  罫線ヘッド
２５  送りロール軸
２７  送りカラーロール
２９  スロッタ軸
３１  スリッタヘッド
３３  スリッタナイフ
３５  スリット屑
４１  フレーム
４３  ガイド軸
４５  移動台
４７  ねじ軸
４９  ヨーク
４９ａ  罫線ヘッド用ヨーク 
４９ｂ  送りカラー用ヨーク
４９ｃ  スリッタヘッド用ヨーク
６１  スリット屑ガイド
６２  取付部
６３  上面ガイド部材
６４  前面ガイド部材
６５  側面ガイド部材
６６  上面ガイド板
６７  前面ガイド板
６８  側面ガイド板
６９  空気噴出手段
７０  エアノズル
７１  配管
ＳＣ  罫線（コルゲートマシンで入れた）
ＣＬ  罫線
ＳＬ  溝
ＳＴ  スリット屑
ＧＦ  糊付代
ＢＬ  段ボールシート５の走行面
Ｐ    印刷
Ｈ    空気穴
δ    スリット屑ガイド６１の走行面ＢＬからの突き出し量
θ    上面ガイド板６４と前面ガイド板６５の成す角度
【図１】
2005262335.tif 000003
【図２】
2005262335.tif 000004
【図３】
2005262335.tif 000005
【図４】
2005262335.tif 000006
【図５】
2005262335.tif 000007
【図６】
2005262335.tif 000008